(57)【要約】【課題】  床板と天井板との間に空調ダクトを設置しうる空調ダクトの設置構造を提供するとともに、その際使用するダクトの接続構造及びダクトの接続部材を提供する。【解決手段】  空調ダクトの設置構造は、床板１１と、この床板の直下階の天井板１５と、前記床板と前記天井板との間に設けられ上部が前記床板に固定された床根太３１と、上部が前記床根太下端部と連結され下部が前記天井板に連結された防振吊木４７と、前記天井板と前記床板との間に、前記床根太を貫通して配設された円形ダクト４１とを備えている。【選択図】  図１
2006291654.tif 000002
【特許請求の範囲】
【請求項１】
床板と、
この床板の直下階の天井板と、
前記床板と前記天井板との間に設けられ上部が前記床板に固定された床根太と、
上部が前記床根太と連結され下部が前記天井板に連結された防振吊木と、
前記床板と前記天井板との間に前記床根太を貫通して配設された空調ダクトと、
を備えたことを特徴とする空調ダクトの設置構造。
【請求項２】
前記床根太は、板状のウエブ部と、このウエブ部の上縁部に沿って設けられた柱状の上部フランジ部と、前記ウエブ部の下縁部に沿って設けられた柱状の下部フランジ部とを有することを特徴する請求項１に記載の空調ダクトの設置構造。
【請求項３】
ダクト端部のダクト壁に、開口部を設け、前記ダクトを接続するときは、前記ダクトの端部同士を突き合わせた後、前記開口部を通して接続部の内壁に内張を施し、その後前記開口部を蓋体で閉鎖するように構成したことを特徴とするダクトの接続構造。
【請求項４】
一端部が一方のダクトの側壁に形成された開口に接続するようにフランジ状になされ、他端部が他方のダクトの端部に接続するように筒状になされた接続部材であって、前記一端部を前記一方のダクトの開口に接続し前記他端部を他方のダクトの端部に接続することによってダクトを接続することを特徴とするダクトの接続部材。
【請求項５】
一方のダクトの側壁に形成された開口に装着され内周に係合凹部を有する第１の接続部材と、他方のダクトの端部開口に装着され外周に前記第１の接続部材の係合凹部に係合する係合突部を有する第２の接続部材とを備えたことを特徴とするダクトの接続部材。
【発明の詳細な説明】
【技術分野】
【０００１】
本発明は、床根太を有する床天井間に空調ダクトを配設する空調ダクトの設置構造に関する。
【背景技術】
【０００２】
一般に、２階建て木造建築においては、図７に示すように、２階の床板１１の下面に、この床板を支えるための床根太１３という梁を多数平行に配設している。また、１階の天井板１５の上面には、この天井板１５を支えるための吊天井根太１７という梁を多数平行に配設している。
【０００３】
一方、近年木造建築にもセントラル冷暖房換気システムが採用されるようになり、そのためのダクトを設置する必要が生じてきた。ところが、床板１１と天井板１５との間は、床根太１３、吊天井根太１７が平行に配設されているため、これに平行にダクトを設置することはできても直角方向には設置できない。また、通常床根太１３間にはこれに平行に吊天井根太１７が設置されていることが多く、従って、床根太１３間であっても、吊天井根太１７が障害となりダクトが設置できないことが多い。そこで、従来は、図７に示すように、天井板１５下部に下がり天井部１９を設け、ここにダクト２１を設置することが行われていた。
【０００４】
しかしながら、このように下がり天井部１９を設けることは、居住空間がその分狭くなるばかりでなく、デザイン上も好ましくない。また、建設コストを上昇させることにもなり改善が望まれていた。
【発明の開示】
【発明が解決しようとする課題】
【０００５】
本発明は、上記点を解決するためになされたものであって、床板と天井板との間に空調ダクトを設置しうる空調ダクトの設置構造を提供するとともに、その際使用するダクトの接続構造及びダクトの接続部材を提供するものである。
【課題を解決するための手段】
【０００６】
本発明は、床板と、この床板の直下階の天井板と、前記床板と前記天井板との間に設けられ上部が前記床板に固定された床根太と、上部が前記床根太と連結され下部が前記天井板に連結された防振吊木と、前記床板と前記天井板との間に前記床根太を貫通して配設された空調ダクトとを備えたことを特徴とする。
【０００７】
また、本発明は、前記床根太は、板状のウエブ部と、このウエブ部の上縁部に沿って設けられた柱状の上部フランジ部と、前記ウエブ部の下縁部に沿って設けられた柱状の下部フランジ部とを有することを特徴する。
【０００８】
また、本発明は、ダクト端部のダクト壁に、開口部を設け、前記ダクトを接続するときは、前記ダクトの端部同士を突き合わせた後、前記開口部を通して接続部の内壁に内張を施し、その後前記開口部を蓋体で閉鎖するように構成したを特徴とする。
【０００９】
また、本発明は、一端部が一方のダクトの側壁に形成された開口に接続するようにフランジ状になされ、他端部が他方のダクトの端部に接続するように筒状になされた接続部材であって、前記一端部を前記一方のダクトの開口に接続し前記他端部を他方のダクトの端部に接続することによってダクトを接続することを特徴とする。
【００１０】
また、本発明は、一方のダクトの側壁に形成された開口に装着され内周に係合凹部を有する第１の接続部材と、他方のダクトの端部開口に装着され外周に前記第１の接続部材の係合凹部に係合する係合突部を有する第２の接続部材とを備えたことを特徴とする。
【発明の効果】
【００１１】
本発明は、床板と天井板との間に空調ダクトを設置することができ、したがって居住空間を広く使用でき、デザイン上も好ましく、建設コストを削減できる。また、本発明は、同種ダクト同士の接続及び異種ダクト同士の接続を、高精度かつ施工性良く行うことができる。
【発明を実施するための最良の形態】
【００１２】
図１ないし図４は本発明に係る空調ダクトの設置構造の実施の形態を示すものである。図１は、床板１１と天井板１５との間の空調ダクトの設置構造を示す斜視図である。この図において、床板１１の下面には、複数の床根太３１が平行に設けられている。この床根太３１は、木質Ｉ型複合梁等を使用しており、図３に示すように板状のウエブ部３３を有している。このウエブ部３３の上縁部には、この上端縁に沿って角柱状の上部フランジ部３５が設けられており、この上部フランジ部３５が床板１１に固定されている。また、ウエブ部３３の下縁部には、この下縁部にそって下部フランジ部３７が設けられている。そして、これら上部フランジ部３３と下部フランジ部３７によって床根太３１の強度を増加させている。
【００１３】
図１に示すように、断面矩形状の角形ダクト３９が床根太３１に平行に設置されており、この角形ダクト３９の側壁には、この角形ダクト３９に直角に断面円形の円形ダクト４１が接続されている。この円形ダクト４１は、床根太３１のウエブ部３３に形成された貫通孔４３を貫通して床根太３１に直交して配設されている。
【００１４】
図２は、実際の配管状態を示したもので、配管効率、施行精度の高い拡張プレナム方式が採用されている。図２に示すように、床根太３１，３１間に断面矩形状の角形ダクト３９からなる主ダクト（外径Ｗ＝５００×Ｈ＝２００）４０が平行に設置されている。また、同様に角形ダクト３９からなる副主ダクト（外径Ｗ＝３５０×Ｈ＝２００）４２が床根太３１に平行に設置されている。そして、この副主ダクト４２から、直角に円形ダクト４１からなる分岐ダクト（外径φ２００）４４が分岐しており、その後この分岐ダクト４４は直角に屈曲し所定の位置まで配設されている。ここで、主ダクト４０、副主ダクト４２はグラスウール成形ダクトを使用し、分岐ダクト４４はグラスウール成形ダクトとフレキシブルダクトとを用途に応じて使い分けている。
【００１５】
この床根太３１を円形ダクト４１が貫通する貫通孔４３の位置は、図４（ａ）（ｂ）に示すようになっている。この図において（ａ）は、支持部４５間に梁渡された床根太３１に貫通孔４３が設けられた状態を示したもので、図中ハッチングを付した範囲Ｘ１，Ｘ２が貫通孔４３を設けることができない位置であり、その間の範囲Ｙが貫通孔を設けることができる位置である。そして、図４（ｂ）は、支持部４５から貫通孔４３までに採らなければならない最低限の距離を示している。図２においても、分岐ダクト４４は副主ダクト４２のうち範囲Ｙで示す位置から分岐している。
【００１６】
このように、床根太３１に、図３に示すように上部フランジ部３５及び下部フランジ部３７を設けて強度を向上させ、さらに、図４に示すように、支持部から所定の距離離して貫通孔４３を形成することによって、床根太３１の強度を低下させることなく、床根太３１に円形ダクト４１を貫通させることができる。
【００１７】
一方、床根太３１の下部フランジ部３７と天井板１５との間には、防振吊木４７が設けられている。この防振吊木４７は、その下端部を天井板１５の野縁４８に連結され、上端部に断面コ字状に形成された係合部４９を有している。そして、この係合部４９は下部フランジ部３７に係合しており、天井板１５を吊下げることができるようになっている。また、この防振吊木４７は、その内部に防振ゴムを有しており、床板１１からの振動を吸収することができる。また、防振吊木４７は、図２に示すように、床根太４１の側部であればどこでも設置できるため、ダクトを避けて配置することができダクト配管の自由度を向上させることができる。したがって、吊天井方式と同様に床根太と天井板との縁が切れ、床の遮音性能を低下させることなく、自由にダクトの配管を行うことができる。
【００１８】
ところで従来、ダクト同士の接続時には、その接合部の外皮側をテープ貼りしていた。しかしながら、本実施の形態のように、狭隘な床根太３１，３１間でダクトを接続しなければならない場合は、このような外皮側のテーピングは困難を極める。そこで、本実施の形態では、グラスウールダクトを内面アルミ貼り仕様とし、これを下面側からテープ貼りすることで解決した。
【００１９】
すなわち、図５は、角形の副主ダクト同士の接合部を示す図であり、（ａ）はその下面図、（ｂ）はその前断面図、（ｃ）はその側断面図である。この図において、床根太３１間には、角形の第１の副主ダクト４２ａと角形の第２の副主ダクト４２ｂが配設されている。これら第１の副主ダクト４２ａ、第２の副主ダクト４２ｂの端部には、それぞれ開口部５５ａ，５５ｂが形成されている。そして、これら開口部５５ａ，５５ｂにはこれらを閉鎖する蓋体５９ａ，５９ｂが設けられている。このような構成において、角形の第１の副主ダクト４２ａと第２の副主ダクト４２ｂを接続するには、まず、第１の副主ダクト４２ａと第２の副主ダクト４２ｂの端部同士を突き合わせて固定する。次いで、両副主ダクト４２ａ，４２ｂの蓋体５９ａ，５９ｂを開け、接続部近傍の内皮側にテープ貼り６１を行う。その後蓋体５９ａ，５９ｂを閉鎖し、この蓋体の外周をテープ貼りして接続を完了する。このようにすることによって、床根太３１，３１間の狭い空間においても、同種ダクト間の高精度で効率の良い接続が可能となる。
【００２０】
なお、図５に示す実施の形態においては、副主ダクトとして断面矩形状のものを採用しているが、これに限定される必要ななく他の断面形状のものでもよい。
【００２１】
また、図６は、角形の副主ダクト４２の側壁に円形の分岐ダクト４４を接続する場合を示したもので、（ａ）はその下面図、（ｂ）はその前断面図、（ｃ）はその側断面図である。
【００２２】
この図において、副主ダクト４２の側壁には円形開口が形成されており、この円形開口と対向する床根太３１にも貫通孔が形成されている。また、副主ダクト４２と円形分岐ダクト４４とを接続する接続部材６７が準備される。この接続部材６７は、円形分岐ダクト４４に挿入される筒状本体６９と、この筒状本体６９の一端側に形成された矩形フランジ部７１とを有している。このような構成において、角形の副主ダクト４２に円形の分岐ダクト４４を接続するには、まず、床根太３１の貫通孔に円形の分岐ダクト４４を挿入する。次に、副主ダクト４２の円形開口の下面側に設けられている蓋体（図示せず）を開け接続部材６７の筒状本体６９を副主ダクト４２の円形開口を通して円形の分岐ダクト４４に接続する。この際、筒状本体６９の内周面に形成された環状凹部６９ａに分岐ダクト４４の外周面に形成された環状凸部４４ａを係合させる。次に、接続部材の矩形フランジ部７１と副主ダクト４２の内壁との隙間にアルミテープ７３を貼り付ける。その後、蓋体（図示せず）を閉鎖して接続を完了する。このようにすることによって、下部からダクト内側の接続、テーピングが可能となり、主ダクト、副主ダクトと分岐ダクトとの異種ダクトの接続精度、施工性を向上させることができる。
【００２３】
図７は、副主ダクト４２と分岐ダクト４４との接続部の他の例を示す図である。図７（ａ）は図６（ａ）中Ａで示す部分に対応する下断面図、図７（ｂ）は図６（ｂ）中Ｂで示す部分に対応する正断面図である。これらの図において、図６に示す構成と同一の部分には同一符号を付してその説明を省略する。
【００２４】
これらの図において、副主ダクト４２の側壁には開口部が形成されており、この開口部に内周に溝状の係合凹部８１ａを有する第１の接続部材８１を装着する。また、分岐ダクト４４の開口端部には、外周にフランジ状の係合突部８２ａを有する第２の接続部材８２を装着する。そして、分岐ダクト４４の第２の接続部材８２を副主ダクト４２の第１の接続部材８１に挿入し、係合突部８２ａを係合凹部８１ａに係合させる。その後、図６で示す場合と同様に、副主ダクト４２の内周側から両者の隙間にアルミテープでテーピングを行い接続を完了する。
【００２５】
なお、図６及び図７に示す実施の形態においては、副主ダクト４２として角形ダクトを、分岐ダクトとして円形ダクトを採用しているが、これに限定する必要はなく断面形状は他の形状でも良い。
【図面の簡単な説明】
【００２６】
【図１】本発明の実施の形態である空調ダクトの設置構造を示す一部切欠き斜視図。
【図２】空調ダクトの設置構造を示す図であって、（ａ）はその平面図、（ｂ）はその正面図、（ｃ）はその側面図。
【図３】空調ダクトの設置構造に使用される防振吊木を示す側面図。
【図４】床根太に貫通孔を形成する場合の寸法的条件を示す図であって、（１）は床根太に貫通孔が形成された状態を示す図、（２）はその際の各寸法の関係を示す表。
【図５】本発明における同種のダクトの接続方法を示す図であって、（ａ）はその下面図、（ｂ）はその正断面図、（ｃ）はその側断面図。
【図６】本発明における異種のダクトの接続方法を示す図であって、（ａ）はその下断面図、（ｂ）はその正断面図、（ｃ）はその側断面図。
【図７】本発明における異種のダクトの他の接続方法を示す図であって、（ａ）はその下断面図、（ｂ）はその正断面図。
【図８】従来の空調ダクトの設置の仕方を示す図。
【符号の説明】
【００２７】
１１  床板
１５  天井板
３１  床根太
３３  ウエブ部
３５  上部フランジ部
３７  下部フランジ部
３９  角形ダクト
４０  主ダクト
４１  円形ダクト
４２  副主ダクト
４４  分岐ダクト
４７  防振吊木
５５ａ  開口部
５５ｂ  開口部
５９ａ  蓋体
５９ｂ  蓋体
６１  テープ貼り
６７  接続部材
６９  筒状本体
７１  矩形フランジ部
７３  アルミテープ
８１  第１の接続部材
８１ａ  係合凹部
８２  第２の接続部材
８２ａ  係合突部
【図１】
2006291654.tif 000003
【図２】
2006291654.tif 000004
【図３】
2006291654.tif 000005
【図４】
2006291654.tif 000006
【図５】
2006291654.tif 000007
【図６】
2006291654.tif 000008
【図７】
2006291654.tif 000009
【図８】
2006291654.tif 000010